(57)【要約】【課題】視点数の増加に対して線形的に画像データの暗号化または暗号の復号に係る処理量を増大させることなく、暗号解読に対する安全性を、一般的な暗号化方法を用いた場合と等価とすることができる暗号化装置、暗号化方法及びプログラムを提供する。【解決手段】暗号化装置１０は、符号化視点画像データと、符号化視点画像データの符号を復号した視点画像データを用いて符号を復号する符号化中間視差画像データとを含む符号化多視点画像データを入力する入力部１０１と、符号化視点画像データと符号化中間視差画像データとを論理演算して排他的論理和を取得する第１論理演算部１０４と、符号化視点画像データを公開鍵暗号または共通鍵暗号により暗号化する暗号化部１０５と、排他的論理和と、暗号化した符号化視点画像データとを、符号化多視点画像データの暗号化データとして出力する出力部１０７とを備える。【選択図】図１
2015195462.tif 000002
【特許請求の範囲】
【請求項１】
符号化視点画像データと、前記符号化視点画像データの符号を復号した視点画像データを用いて符号を復号する符号化中間視差画像データとを含む符号化多視点画像データを入力する入力部と、
前記符号化視点画像データと前記符号化中間視差画像データとを論理演算して排他的論理和を取得する第１論理演算部と、
前記符号化視点画像データを公開鍵暗号または共通鍵暗号により暗号化する暗号化部と、
前記排他的論理和と、前記暗号化した符号化視点画像データとを、前記符号化多視点画像データの暗号化データとして出力する出力部と
を備えた暗号化装置。
【請求項２】
前記符号化視点画像データの中から前記論理演算する符号化視点画像データを選択する参照関係生成部を更に備え、
前記第１論理演算部は、前記選択した符号化視点画像データと前記符号化中間視差画像データとを論理演算する
請求項１記載の暗号化装置。
【請求項３】
前記参照関係生成部は、前記選択した符号化視点画像データを特定するための情報を前記符号化中間視差画像データ内に記録する
請求項２記載の暗号化装置。
【請求項４】
前記符号化中間視差画像データは、予測符号化により、複数の前記視点画像データの差分情報を符号化したものである
請求項１乃至請求項３のいずれか１項に記載の暗号化装置。
【請求項５】
請求項１乃至請求項４のいずれか１項に記載の暗号化装置が出力した前記符号化多視点画像データの暗号化データの暗号を復号する復号装置であって、
前記暗号化した符号化視点画像データの暗号を復号して前記符号化視点画像データを取得する復号部と、
前記取得した符号化視点画像データと前記排他的論理和とを論理演算して前記符号化中間視差画像データを取得する第２論理演算部と
を備えた復号装置。
【請求項６】
前記復号部が取得した符号化視点画像データの符号を復号して視点画像データを取得し、
前記取得した視点画像データを用いて、前記第２論理演算部が取得した前記符号化中間視差画像データの符号を復号して中間視差画像データを取得することで、
前記符号化多視点画像データの符号を復号する復号再生部を更に備えた
請求項５記載の復号装置。
【請求項７】
符号化視点画像データと、前記符号化視点画像データの符号を復号した視点画像データを用いて符号を復号する符号化中間視差画像データとを含む符号化多視点画像データを入力するステップと、
前記符号化視点画像データと前記符号化中間視差画像データとを論理演算して排他的論理和を取得するステップと、
前記符号化視点画像データを公開鍵暗号または共通鍵暗号により暗号化するステップと、
前記排他的論理和と、前記暗号化した符号化視点画像データとを、前記符号化多視点画像データの暗号化データとして出力するステップと
を有する暗号化方法。
【請求項８】
コンピュータに、
符号化視点画像データと、前記符号化視点画像データの符号を復号した視点画像データを用いて符号を復号する符号化中間視差画像データとを含む符号化多視点画像データを入力する手順と、
前記符号化視点画像データと前記符号化中間視差画像データとを論理演算して排他的論理和を取得する手順と、
前記符号化視点画像データを公開鍵暗号または共通鍵暗号により暗号化する手順と、
前記排他的論理和と、前記暗号化した符号化視点画像データとを、前記符号化多視点画像データの暗号化データとして出力する手順と
を実行させるためのプログラム。 
【発明の詳細な説明】
【技術分野】
【０００１】
本発明は暗号化装置、暗号化方法及びプログラムに関する。
【背景技術】
【０００２】
左右２つの視点の画像からなる立体画像をさらに拡張し、複数の視点から撮影して得られる画像（ストリーム）を効率よく符号化する多視点符号化方式（ＭＶＣ：Multiview Video Cording）が知られている。非特許文献１には、International Telecommunication Union(ＩＴＵ：国際電気通信連合）により２００３年５月に勧告された動画データの圧縮符号化方式の標準の一つであるＨ．２６４が記載されている。
【先行技術文献】
【非特許文献】
【０００３】
【非特許文献１】International Telecommunication Union，“ H.264 : Advanced video coding for generic audiovisual services”，［online］，［平成26年3月24日検索］，インターネット＜URL: http://www.itu.int/rec/T-REC-H.264＞
【発明の概要】
【発明が解決しようとする課題】
【０００４】
上述のように、背景技術に係る符号化技術により、多くの視点画像データを効率よく符号化し、圧縮、伝送、再生表示を行うことができる。
また、より高精細な多視点画像を得るためには、より多くの視点での画像データを必要とする。ビュー間予測などの他の画像ビットストリームとの依存関係によって成り立つＭＶＣなどの符号化方法においては、いくつかのビットストリームの符号を復号してからでないと符号を復号できないビットストリームがあり、より高精細な画像ほどそのようなビットストリームが増える。
【０００５】
一方、このような多視点画像データにおいても、従来の一つの視点の画像からなるデジタルコンテンツデータと同様に、著作物として不正コピーや著作権者の意図しない形での再生などからデータを保護するために、暗号化が必要となってきている。
コンテンツ保護のために全てのストリームに対して一般的に十分な安全性を持った暗号化方式による暗号化処理を行った場合に、上述したような他の画像ビットストリームの符号を復号してからでないと符号を復号できない画像ビットストリームは、更に参照しているストリームの数だけ暗号を復号してから処理しなければならなくなり、特に早送り再生や巻き戻し再生などの特殊再生では各復号処理の負荷が大きくなり、復号が間に合わず、画像が表示されないという問題があった。
【０００６】
本発明は、このような問題を解決するためになされたものであり、処理量を増大させることなく、暗号解読に対する安全性を、一般的な暗号化方法を用いた場合と等価とすることのできる暗号化装置、暗号化方法及びプログラムを提供することを目的とする。
【課題を解決するための手段】
【０００７】
本発明に係る暗号化装置は、符号化視点画像データと、前記符号化視点画像データの符号を復号した視点画像データを用いて符号を復号する符号化中間視差画像データとを含む符号化多視点画像データを入力する入力部と、前記符号化視点画像データと前記符号化中間視差画像データとを論理演算して排他的論理和を取得する第１論理演算部と、前記符号化視点画像データを公開鍵暗号または共通鍵暗号により暗号化する暗号化部と、前記排他的論理和と、前記暗号化した符号化視点画像データとを、前記符号化多視点画像データの暗号化データとして出力する出力部とを備えるものである。
【０００８】
また、本発明に係る暗号化方法は、符号化視点画像データと、前記符号化視点画像データの符号を復号した視点画像データを用いて符号を復号する符号化中間視差画像データとを含む符号化多視点画像データを入力するステップと、前記符号化視点画像データと前記符号化中間視差画像データとを論理演算して排他的論理和を取得するステップと、前記符号化視点画像データを公開鍵暗号または共通鍵暗号により暗号化するステップと、前記排他的論理和と、前記暗号化した符号化視点画像データとを、前記符号化多視点画像データの暗号化データとして出力するステップとを有するものである。
【０００９】
また、本発明に係るプログラムは、コンピュータに、符号化視点画像データと、前記符号化視点画像データの符号を復号した視点画像データを用いて符号を復号する符号化中間視差画像データとを含む符号化多視点画像データを入力する手順と、前記符号化視点画像データと前記符号化中間視差画像データとを論理演算して排他的論理和を取得する手順と、前記符号化視点画像データを公開鍵暗号または共通鍵暗号により暗号化する手順と、前記排他的論理和と、前記暗号化した符号化視点画像データとを、前記符号化多視点画像データの暗号化データとして出力する手順とを実行させるものである。
【発明の効果】
【００１０】
本発明により、処理量を増大させることなく、暗号解読に対する安全性を、一般的な暗号化方法を用いた場合と等価とすることのできる暗号化装置、暗号化方法及びプログラムを提供することができる。
【図面の簡単な説明】
【００１１】
【図１】実施の形態に係る多視点画像データ暗号化復号装置１の概略構成を示すブロック図である。
【図２】実施の形態に係る暗号化装置１０が実行する暗号化方法の処理手順を示すフローチャートである。
【図３】実施の形態に係る符号化中間視差画像データのデータ構造を示す図である。
【図４】実施の形態に係る復号装置２０が実行する復号方法の処理手順を示すフローチャートである。
【発明を実施するための形態】
【００１２】
以下、図面を参照して本実施の形態に係る符号化多視点画像データ暗号化復号装置について説明する。
本実施の形態に係る符号化多視点画像データ暗号化復号装置は、符号化した中間視差画像データ（以下、「符号化中間視差画像データ」という。）に参照画像データとの論理演算による暗号化を施し、また、暗号化した符号化中間視差画像データ（以下、「符号化中間視差画像データの暗号化データ」という。）に参照画像データとの論理演算による暗号の復号を施すもので、視点数が膨大となる高精細な符号化多視点画像データであっても暗号化または暗号の復号に必要な処理を軽減することができるものである。
【００１３】
本実施の形態に係る符号化中間視差画像データの暗号化データを解読しようとすると、論理演算の対象となる参照画像データの共通鍵暗号または公開鍵暗号による暗号化データの暗号をあらかじめ復号しなければならない。このため、本実施の形態に係る符号化中間視差画像データの暗号化データは、参照画像データの暗号化データと等価な安全性および解読難度を有する。
【００１４】
なお、本実施の形態において、符号化多視点画像データとは、異なる視点から同一の対象物を撮影して得られる複数の視点画像データなどを、Ｈ．２６４のＭＶＣなどの視点間補償または時間補償などを用いて符号化した画像データであり、符号化視点画像データと符号化中間視差画像データとを含んで構成される。符号化視点画像データとは、独立してその符号を復号できる画像データである。符号化中間視差画像データとは、符号化視点画像データの符号を復号した後に、当該符号を復号した視点画像データを用いて、符号を復号できる画像データである。また、参照画像データとは、符号化中間視差画像データの暗号化または暗号の復号を行う論理演算に用いる符号化視点画像データである。
【００１５】
また、符号化視点画像データ及び符号化中間視差画像データは、ヘッダ部とペイロード部とを有しており、本実施の形態においては、ヘッダ部を暗号化しないで、ペイロード部を暗号化する。また、ヘッダ部は画像データの個別の識別子ＶｉｅｗＩＤを含むものである。
【００１６】
まず、本実施の形態に係る符号化多視点画像データ暗号化復号装置の構成について説明する。
図１は、本実施の形態に係る符号化多視点画像データ暗号化復号装置１の概略構成を示すブロック図である。符号化多視点画像データ暗号化復号装置１は、暗号化装置１０と復号装置２０とを備えている。
【００１７】
暗号化装置１０は、入力した符号化多視点画像データを暗号化するもので、インターフェース（ＩＦ）１０１、画像データ蓄積部１０２、参照関係生成取得部１０３、第１論理演算部１０４、暗号化部１０５、暗号鍵生成部１０６、多重化部１０７などを備える。
インターフェース１０１は、符号化多視点画像データを入力して取得するもので、ＵＳＢや、ＩＥＥＥ１３９４などの画像データの送受信が可能なものである。前述したように、符号化多視点画像データは、符号化視点画像データと符号化中間視差画像データとを含む。インターフェース１０１は、特許請求の範囲の入力部に対応する。
【００１８】
画像データ蓄積部１０２は、インターフェース１０１が取得した符号化多視点画像データを記録して蓄積するもので、ハードディスク装置、光ディスク、不揮発性メモリなどの符号化多視点画像データを記録するために必要なデータ容量を備える記録媒体と、当該記録媒体からデータの読み出しまたは書き込みを行うことが可能な磁気記録ヘッド、光ピックアップなどとを有し、データの記録に必要な変調などの信号処理も行う。
【００１９】
参照関係生成取得部１０３は、インターフェース１０１から入力した符号化多視点画像データまたは画像データ蓄積部１０２から読み出した符号化多視点画像データについて参照関係情報を生成または取得する。参照関係情報については後述する。参照関係生成取得部１０３は、特許請求の範囲の参照関係生成部に対応する。
【００２０】
第１論理演算部１０４は、参照関係情報に基づいて、符号化視点画像データから選択した参照画像データと、符号化中間視差画像データとを論理演算して排他的論理和を求め、これを符号化中間視差画像データの暗号化データとして取得する。なお、論理演算は各画像データのペイロード部を用いて行う。論理演算による暗号化は、一般的な共通鍵暗号または公開鍵暗号による暗号化に比べて高速で処理することが可能である。
【００２１】
暗号化部１０５は、参照画像データを含む符号化視点画像データを共通鍵暗号または公開鍵暗号により暗号化して、符号化視点画像データの暗号化データを取得する。
暗号鍵生成部１０６は、暗号化部１０５で使用する暗号鍵を生成する。
多重化部１０７は、暗号化部１０５が取得した符号化視点画像データの暗号化データと、第１論理演算部１０４が取得した符号化中間視差画像データの暗号化データとを合わせて符号化多視点画像データの暗号化データとし、多重化して出力する。多重化部１０７は、特許請求の範囲の出力部に対応する。
【００２２】
一方、復号装置２０は、暗号化装置１０が出力した符号化多視点画像データの暗号化データの暗号を復号するもので、画像データ蓄積部１０２、分離部２０１、参照関係取得部２０２、復号部２０３、復号鍵生成部２０４、第２論理演算部２０５、復号再生部２０６などを備える。
分離部２０１は、多重化部１０７で多重化された、符号化視点画像データの暗号化データと符号化中間視差画像データの暗号化データとを分離する。
【００２３】
参照関係取得部２０２は、符号化中間視差画像データの暗号化データの論理演算を行っていないヘッダ部より参照関係情報を取得する。
復号部２０３は、分離部２０１で分離した符号化視点画像データの暗号化データの暗号を復号する。暗号を復号した符号化視点画像データには参照画像データが含まれる。
復号鍵生成部２０４は、復号部２０３で使用する復号鍵を生成する。
【００２４】
第２論理演算部２０５は、復号部２０３で暗号を復号した参照画像データと、符号化中間視差画像データの暗号化データとの論理演算を行って排他的論理和を求め、符号化中間視差画像データの暗号化データの暗号を復号する。
復号再生部２０６は、それぞれ暗号を復号した、符号化視点画像データ及び符号化中間視差画像データの符号を復号して、多視点画像を再生する。
【００２５】
なお、暗号化装置１０または復号装置２０が実現する各構成要素は、例えば、コンピュータである暗号化装置１０または復号装置２０が備える演算装置（図示せず）の制御によって、プログラムを実行させることによって実現できる。より具体的には、暗号化装置１０または復号装置２０は、記憶部（図示せず）に格納されたプログラムを主記憶装置（図示せず）にロードし、演算装置の制御によってプログラムを実行して実現する。また、各構成要素は、プログラムによるソフトウェアで実現することに限ることなく、ハードウェア、ファームウェア、及びソフトウェアのうちのいずれかの組み合わせなどにより実現しても良い
【００２６】
上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００２７】
また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【００２８】
また、暗号化装置１０と復号装置２０とは、本実施の形態に係る符号化多視点画像データ暗号化復号装置１のように、両者を合体して一つの装置として構成しても良いし、両者を分離して符号化多視点画像データ暗号化装置と符号化多視点画像データ復号装置とのように、二つまたはそれ以上の数の装置または当該装置を備えたシステムとして構成しても良い。
【００２９】
暗号化装置１０と復号装置２０とを合体して一つの装置として構成するときは、暗号化処理において使用する鍵を生成する暗号鍵生成部１０６と、暗号の復号処理において使用する鍵を生成する復号鍵生成部２０４とを同一の処理部で構成し、鍵の共通化を図ることができる。一方、暗号化装置１０と復号装置２０とを分離して二つ以上の数の装置として構成するときは、予め共通の鍵を記憶しておいたり、公開鍵暗号などを使用したりして安全に鍵を共通化する処理が必要となる。
【００３０】
つぎに、本実施の形態に係る暗号化装置１０の動作について説明する。
図２は、本実施の形態に係る暗号化装置１０が実行する暗号化方法の処理手順を示すフローチャートである。
まず、暗号化装置１０は、インターフェース（ＩＦ）１０１により符号化多視点画像データを取得する（ステップＳ１０）。取得した符号化多視点画像データは、多視点画像データを符号化した画像データである。インターフェース１０１は、通信規格に応じた通信信号の変調などの処理を行う。
【００３１】
つぎに、取得した符号化多視点画像データを記録して蓄積するか判定する（ステップＳ２０）。取得した符号化多視点画像データを蓄積すると判定したときは（ステップＳ２０のＹｅｓ）、同データを画像データ蓄積部１０２に蓄積する（ステップＳ３０）。
【００３２】
取得した符号化多視点画像データを蓄積しないと判定したとき（ステップＳ２０のＮｏ）、または、画像データ蓄積部１０２に蓄積した符号化多視点画像データを再生したとき（ステップＳ３０）は、参照関係生成取得部１０３が、符号化視点画像データのうち、第１論理演算部１０４で符号化中間視差画像データとの論理演算に使用する符号化視点画像データの選択を行う（ステップＳ４０）。これは、第１論理演算部１０４における論理演算の結果である排他的論理和のビット列が全て０または全て１になるなど、論理演算の前後で元のデータ構造が明らかになってしまう組合せを避けるためである。参照関係生成取得部１０３が選択した符号化視点画像データは、以降、参照画像データとして扱われる。
【００３３】
また、参照関係生成取得部１０３は、参照画像データを判別するためのテーブル情報を上述した参照関係情報として生成する（ステップＳ５０）。
図３は、本実施の形態に係る符号化中間視差画像データのデータ構造を示す図である。画像データストリーム４１０はヘッダ部４２０とペイロード部４３０とを有しており、ヘッダ部４２０は暗号化せず、ペイロード部４３０を暗号化する。また、ヘッダ部４２０は、最上位ビット（ＭＳＢ：Most Significant Bit）側から最下位ビット（ＬＳＢ：Least Significant Bit）側に向けて、この画像データの個別の識別子ＶｉｅｗＩＤ４４０、以降のデータフィールドを規定する参照画像数４５０、参照画像１〜ＮのＶｉｅｗＩＤ４６０、参照画像１〜Ｎの論理演算フラグ４７０を有している。
【００３４】
テーブル情報はヘッダ情報に１ビットのフラグで示すものとし、各参照画像データに割り当てられたビットが０のとき、その参照画像データは論理演算には使用されていないことを示し、１のときは論理演算に使用されていることを示す。
つぎに、第１論理演算部１０４で参照関係情報に基づき符号化中間視差画像データと参照画像データとの排他的論理和を算出する（ステップＳ６０）。論理演算は、符号化された画像データを格納したペイロード部で行う。論理演算により、符号化中間視差画像データは暗号化される。
【００３５】
つぎに、暗号化部１０５で参照画像データを含む符号化視点画像データの暗号化を行う（ステップＳ８０〜ステップＳ１００）。暗号化は公開鍵暗号方式または共通鍵暗号方式で行うが、公開鍵暗号方式よりは暗号化および暗号の復号を高速に行うことが可能な共通鍵暗号方式で行うことが好ましい。また、符号化した画像データストリームは周期的に固有のビット列が出現するため、ＣＢＣモード（暗号文ブロック連鎖モード）を利用すると良い。
【００３６】
最後に、多重化部１０７が、符号化視点画像データの暗号化データと符号化中間視差画像データの暗号化データとを多重化し、復号装置２０または画像データ蓄積部１０２へ出力する（ステップＳ１１０）。多重化部１０７は、多重化した結果に、必要に応じて変調処理を行っても良い。
【００３７】
つぎに、本実施の形態に係る復号装置２０の動作について説明する。
図４は、本実施の形態に係る復号装置２０が実行する復号方法の処理手順を示すフローチャートである。
まず、分離部２０１が、暗号化された符号化多視点画像データを入力し、いわゆるデマックス（Ｄｅｍｕｘ）や変調などの処理を行い、多重化した、符号化視点画像データの暗号化データと、符号化中間視差画像データの暗号化データとを分離する（ステップＳ２１０）。
【００３８】
つぎに、参照関係取得部２０２が、各符号化中間視差画像データのヘッダ部より参照関係情報を取得する（ステップＳ２２０）。上述したように、各符号化中間視差画像データのヘッダ部は論理演算による暗号化を行っていない。
【００３９】
つぎに、復号鍵生成部２０４が生成した復号鍵を使用して、復号部２０３が符号化多視点画像データの暗号化データの暗号の復号を行う（ステップＳ２３０〜ステップＳ２６０）。符号化視点画像データの暗号化を共通鍵暗号で行っているのであれば暗号化時と同じ鍵情報をあらかじめ復号鍵生成部２０４に記憶しておく。なお、暗号化装置１０と復号装置２０とは、同一の鍵を生成するためのシード情報または鍵生成手段を備えても良く、また、暗号化装置１０と復号装置２０との間で公開鍵暗号化方式を用いて符号化視点画像データの暗号化に用いた鍵を送受信しても良い。
【００４０】
つぎに、第２論理演算部２０５が、参照関係情報に基づいて、暗号を復号した符号化視点画像データと、符号化中間視差画像データの暗号化データとの論理演算を行い、排他的論理和を算出し、符号化中間視差画像データの暗号化データの暗号を復号する（ステップＳ２７０）。第２論理演算部２０５が算出した排他的論理和が、符号化中間視差画像データである。
【００４１】
最後に、復号再生部２０６が、以上の処理により暗号の復号を行った符号化多視点画像データについて、所望の視点画像を再生するために符号の復号を行う（ステップＳ２８０）。
復号再生部２０６が再生した画像は、符号化多視点画像データ暗号化復号装置１に接続された外部のディスプレイ装置に表示する。
【００４２】
上述したように、本実施の形態に係る暗号化装置１０は、符号化視点画像データと、符号化視点画像データの符号を復号した視点画像データを用いて符号を復号する符号化中間視差画像データとを含む符号化多視点画像データを入力する入力部１０１と、符号化視点画像データと符号化中間視差画像データとを論理演算して排他的論理和を取得する第１論理演算部１０４と、符号化視点画像データを公開鍵暗号または共通鍵暗号により暗号化する暗号化部１０５と、排他的論理和と、暗号化した符号化視点画像データとを、符号化多視点画像データの暗号化データとして出力する出力部１０７とを備えるものである。このような構成により、視点数の増加に対して線形的に画像データの暗号化または暗号の復号に係る処理量を増大させることなく、暗号解読に対する安全性を、一般的な暗号化方法を用いた場合と等価とすることができる。
【００４３】
また、本実施の形態に係る暗号化装置１０は、符号化視点画像データの中から論理演算する符号化視点画像データを選択する参照関係生成部１０３を更に備え、第１論理演算部１０４が、選択した符号化視点画像データと符号化中間視差画像データとを論理演算することが好ましい。
【００４４】
また、本実施の形態に係る暗号化装置１０は、参照関係生成部１０３が、選択した符号化視点画像データを特定するための情報を符号化中間視差画像データ内に記録することが好ましい。
また、本実施の形態に係る暗号化装置１０は、符号化中間視差画像データは、予測符号化により、複数の視点画像データの差分情報を符号化したものであることが好ましい。
【００４５】
また、本実施の形態に係る復号装置２０は、暗号化装置１０が出力した符号化多視点画像データの暗号化データの暗号を復号する復号装置２０であって、暗号化した符号化視点画像データの暗号を復号して符号化視点画像データを取得する復号部２０３と、取得した符号化視点画像データと排他的論理和とを論理演算して符号化中間視差画像データを取得する第２論理演算部２０５とを備えることが好ましい。
【００４６】
また、本実施の形態に係る復号装置２０は、復号部２０３が取得した符号化視点画像データの符号を復号して視点画像データを取得し、取得した視点画像データを用いて、第２論理演算部２０５が取得した符号化中間視差画像データの符号を復号して中間視差画像データを取得することで、符号化多視点画像データの符号を復号する復号再生部２０６を更に備えることが好ましい。
【符号の説明】
【００４７】
１  符号化多視点画像データ暗号化復号装置
１０  暗号化装置
２０  復号装置
１０１  インターフェース（ＩＦ）
１０３  参照関係生成取得部
１０４  第１論理演算部
１０５  暗号化部
１０７  多重化部
２０３  復号部
２０５  第２論理演算部
２０６  復号再生部
【図１】
2015195462.tif 000003
【図２】
2015195462.tif 000004
【図３】
2015195462.tif 000005
【図４】
2015195462.tif 000006